(57)【要約】　紡績または加撚スピンドルのためのワインダチューブカップリングが記載され、そこではスピンドル上部によるワインダチューブの把持が凹所（複数）と突起（複数）を含む確動カップリング連結部により実現される。凹所はスピンドル上部上に配置された縦溝の形を取り、一方突起はワインダチューブ上に配置された円筒状ペグの形を取り、これらのペグが縦溝と係合する。ペグはスピンドル作動時に縦溝を狭めることとなる停止表面上でスピンドル先端に向けて配置される。縦溝を含むキャップが好ましくはスピンドル上部上に配置される。【選択図】　図１
2004137657.tif 000002
【特許請求の範囲】
【請求項１】
　紡績または加撚スピンドル上のワインダチューブカップリングであって、スピンドル上部によるワインダチューブの把持が凹所と突起を含む確動嵌合を持つ連結部により実現されるものにおいて、凹所（６）がスピンドル上部（１）上に配置された縦溝（８；２５）の形を取り、かつ突起（７）がワインダチューブ（５）上に配置されかつ縦溝（８；２５）と係合するぺグ（９）の形を取ること、前記ぺグ（９）がスピンドル（２）の作動時にスピンドル先端（１０）の方向の縦溝（８；２５）を狭める停止表面（１１，１３；２７）上に配置されていることを特徴とするワインダチューブカップリング。
【請求項２】
　停止表面（１１，１３；２７）が縦溝（８；２５）を境界付ける壁（１２；２８）により形成されることを特徴とする請求項１に記載のワインダチューブカップリング。
【請求項３】
　縦溝（８；２５）が両スピンドル回転方向に停止表面（１１，１３；２７）に向けて徐々に変化することを特徴とする請求項２に記載のワインダチューブカップリング。
【請求項４】
　停止表面（１１，１３；２７）を形成する壁がワインダチューブ（５）のスピンドル上部（１）からの除去を可能とするためにぺグ（９）のための傾斜スライド表面（１４）の形を取ることを特徴とする請求項２または３に記載のワインダチューブカップリング。
【請求項５】
　スライド表面（１４）が一定の曲率（１５）を持つことを特徴とする請求項４に記載のワインダチューブカップリング。
【請求項６】
　ぺグ（９）が丸い断面を持つことを特徴とする請求項１から５のいずれか一つに記載のワインダチューブカップリング。
【請求項７】
　各縦溝（８；２５）が停止表面（１１，１３；２７）に向けて先細りとなっていることを特徴とする請求項１から６のいずれか一つに記載のワインダチューブカップリング。
【請求項８】
　縦溝（８；２５）の数がペグ（９）の数の多数倍であることを特徴とする請求項１から７のいずれか一つに記載のワインダチューブカップリング。
【請求項９】
　２個の隣接した縦溝（８；２５）の横壁（１７，１８）がくさびの形でスピンドル先端（１０）に向けて延びることを特徴とする請求項８に記載のワインダチューブカップリング。
【請求項１０】
　縦溝（８；２５）のベース表面（２０）が曲がっていないことを特徴とする請求項１から９のいずれか一つに記載のワインダチューブカップリング。
【請求項１１】
　縦溝（８；２５）がスピンドル先端（１０）から離れる方に面する端部に端壁（２１）を備えていることを特徴とする請求項１から１０のいずれか一つに記載のワインダチューブカップリング。
【請求項１２】
　請求項１から１１のいずれか一つに記載のワインダチューブカップリングと関連して適用するためのワインダチューブ。
【請求項１３】
　請求項１から１１のいずれか一つに記載のワインダチューブカップリングと関連して適用するための紡績または加撚スピンドル。
【請求項１４】
　縦溝（２５）を含むスピンドルキャップ（２２）がスピンドル上部（１）上に置かれることを特徴とする請求項１３に記載の紡績または加撚スピンドル。
【請求項１５】
　縦溝（２５）のベース表面（２６）が凹状に曲がっていることを特徴とする請求項１４に記載の紡績または加撚スピンドル。
【発明の詳細な説明】
【発明の詳細な説明】
【０００１】
発明の背景と概要
　本発明は紡績または加撚スピンドル上のワインダチューブカップリングに関し、そこではスピンドル上部によるワインダチューブの把持が凹所と突起を含む確動嵌合を持つ連結部により実現される。
【０００２】
　ワインダチューブがばね素子により中心合わせされかつ同時に把持されることは既知である。またワインダチューブの中心合わせと把持が遠心力の作用下にカップリング部材により達成されることも既知である。両変更例においてワインダチューブカップリングの摩擦連結または確動カップリング連結を発生することができ、もし必要なら摩擦連結と確動カップリングを同時に発生することができる。しかし、かかるワインダチューブカップリングがそれらが設計が非常に複雑であるという事実は別としてスピンドルの作動中に失われることがありうる追加の要素を必要とすることは不利である。
【０００３】
　上述の形式の確動嵌合を持つ連結部のためのワインダチューブカップリングは例えばドイツ公開出願４１３１４９８から既知である。これらのワインダチューブカップリングの場合、キャップ状ボタン（複数）がスピンドル上部の外周上に設けられており、これらのキャップ状ボタンは遠心力によりワインダチューブの縦溝上に配置されることができる。
【０００４】
　本発明の目的はワインダチューブとスピンドルの間に確動嵌合を持つ連結部を持つ上述の形式のワインダチューブカップリングを作ることであり、そこではばねの力または遠心力下に作用する半径方向に可動な部品が省略されることができる。
【０００５】
　この目的は本発明により凹所がスピンドル上部に配置された縦溝の形を取ること、及び突起がワインダチューブ上に配置されたぺグの形をとること、このぺグが縦溝と係合し、このぺグがスピンドル作動時に縦溝を狭める停止表面上でスピンドル先端に向けて配置されることにより達成される。
【０００６】
　本発明により、ワインダチューブカップリングは従来技術の如く、確動嵌合を持つ把持が確実となるように作られる。従来技術とは対照的に、スピンドル上部にばねまたは遠心力により半径方向に動くことができる部品がない。従って、スピンドルの円周方向のワインダチューブの良好な把持がスピンドル上部の回転時に達成される。加えて、縦溝を狭める停止表面が作動時に現れる巻かれる糸の引張り力のためワインダチューブがスピンドル先端に向けて上向きに移動することがないことを確実とする。もちろんスリット幅はペグの直径より大きくなければならないことは自明である。利点はワインダチューブカップリング上に存在する全ての複雑な形がスピンドル上部に設けられ、しかるにワインダチューブは製造が簡単なペグまたは複数のペグを含むことのみが必要であることである。
【０００７】
　上述の停止表面は縦溝を境界付ける壁により形成されることができる。これは特別に簡単な製造をもたらすのみならず、縦溝の連続横境界をも確実とする。スピンドルの回転方向と無関係とするために、縦溝が両スピンドル回転方向に停止表面を含むときに有利である。これはまたワインダチューブカップリングの対称的製造をもたらす。
【０００８】
　ワインダチューブカップリングは自動玉揚げのために、かつ特にスピンドル上部へのワインダチューブの自動配置のために適してなければならないので、ワインダチューブが配置時のみならずそれが除去されるときのいずれでも錠止されないことに注意が払われねばならない。更にワインダチューブがスピンドル上部から除去されつつあるとき停止スピンドルがほんの少し円周方向に回転できることが好都合である。これはとにかく近代的なスピンドル駆動の場合であり、本発明の場合であると考えられる。
【０００９】
　本発明の一実施例において、停止表面を形成する壁はワインダチューブがスピンドル上部から除去されるときペグのための傾斜したスライド表面の形を取る。円周方向のスピンドル可動性の利点を獲得することはあらゆる自己錠止を明確に防ぎ、従ってワインダチューブのスピンドル上部からの自動除去が妨げられない。他方で、スライド表面はもちろん本発明によれば作動時の糸引張り力に対して抵抗として作用するほど傾斜が付けられるべきでない。ワインダチューブを除去するための玉揚げ力はどの場合でも糸引張り力より大きいので、スライド表面の正確な傾斜は簡単な試験により決定されることができる。スピンドルの回転面に関して略６０°の角度が好都合であると証明された。
【００１０】
　スライド表面が一定の曲率を持つとき更に好都合である。例えば略２ｍｍの凸半径が包含されることができる。ワインダチューブがスピンドル上部から除去されるとき、ワインダチューブのペグはスピンドル先端に向けてのこの曲線の上に沿って動くことができる。
【００１１】
　ワインダチューブがスピンドル上部から除去されるときできるだけペグのスライドを容易とするために、ペグが曲線状のまたは卵形の断面を持つとき合目的的である。総体的に、ペグは円筒状ピンまたは半球体の形を取ることができる。
【００１２】
　本発明の更なる実施例において、縦溝は停止表面の方向に先細りとなる。これはワインダチューブがスピンドル上に配置されるときペグのための非常に長い入口傾斜をもたらし、従って自己錠止がどのような場合にも避けられる。横壁間の１５°と１８°の間の角度が本発明のために実際的であることが証明された。
【００１３】
　しかし、ワインダチューブのスピンドル上部への配置を容易とするために、できるだけ釣合い誤差が発生しないことを考慮に入れて、ペグより多い縦溝が存在するとき実際的である。この発明の目的のためには、縦溝の数はペグの数の多数倍である。例えば、６個の縦溝と３個のペグが有利であることが証明された。
【００１４】
　二つの隣接する縦溝の横壁がくさび形でスピンドル先端の方向に互いに向けて延びるとき更に実際的である。スピンドル先端で出発する二つの縦溝毎の間に、刃状先端が発生し、従ってペグはワインダチューブが配置されるとき壁と衝突せず、むしろ縦溝中に位置する。
【００１５】
　縦溝のベース表面は有利には真直ぐでかつ多角形、例えば六角形の形である。これは特に簡単な製造工程をもたらす。
【００１６】
　これに代えて、ベース表面は凹状に曲げられることができる。従ってワインダチューブのペグはワインダチューブを中心合わせするための許容差基準の遊びを出現してでさえスピンドルが回転しているときにスピンドル上部に配置されることができる。
【００１７】
　本発明の特に有利な実施例において、縦溝を含むスピンドルキャップが設けられかつスピンドル上部に置かれる。これは費用効果的な製造工程をもたらすのみならず、スピンドルはワインダチューブの種々の型及び直径に容易に適合されることができる。
【００１８】
　絶対的に必要ではないけれども、ある環境では縦溝がスピンドル先端から離れる方に面する端部に端壁を備えているとき合目的的であることができる。通常ワインダチューブはスピンドル上部の停止表面上の、スピンドル先端から離れる方に面するその下端部上に支持される。しかし、ワインダチューブがこれに代えてペグを介して端壁上に支持され、従って軸方向に固定的に配置されることができるという更なる変更がありうる。
【００１９】
　本発明によれば、説明された実施例に加えて、ワインダチューブ並びに説明されたワインダチューブカップリングでの適用のための紡績または加撚スピンドルがまた請求されることが与えられている。
【００２０】
図面の簡略説明
　本発明のこれらの及び更なる目的、特徴及び利点が添付図面に関してなされる以下のその詳細な説明からより容易に明らかとなるであろう。図面において：
　図１は殆ど原型の寸法の、配置されたワインダチューブを持つスピンドル上部の部分断面縦方向図であり、
　図２は拡大寸法でのワインダチューブカップリングの領域内のワインダチューブを持たない図１のスピンドル上部の部分図であり、
　図３はワインダチューブを配置された、図２の横断面ＩＩＩ−ＩＩＩに沿ったスピンドル上部の断面であり、
　図４は大きく拡大された寸法での図２の部分図であり、
　図５はワインダチューブカップリングの役目をする、部分的に断面で示された別個のスピンドルキャップを含むスピンドル上部の部分図であり、
　図６は外側からの図５のスピンドルキャップであり、
　図７はワインダチューブを配置された、図６の横断面ＶＩＩ−ＶＩＩに沿ったスピンドルキャップを含むスピンドル上部の断面である。
【００２１】
図面の詳細な説明
　紡績または加撚スピンドル２のスピンドル上部１が縦方向図で図１に示されている。スピンドル上部１はその下部領域で円錐形支持表面３に次第に変化し、この円錐形支持表面に既知の方式でワーブ駆動（図示せず）及びスピンドル軸（図示せず）が付加される。スピンドル上部１の上部領域内にワインダチューブカップリング４が設けられており、それは以下により詳細に説明される。
【００２２】
　ワインダチューブ５はスピンドル上部１上に配置され、このチューブ５は縦断面で示されている。ワインダチューブ５は下を円錐形支持表面３上でまたは停止表面上で支持され、従ってその下部領域内で中心合わせされる。ワインダチューブ５はスピンドル２の作動中同じ方向に回転するスピンドル上部１により把持される。
【００２３】
　ワインダチューブ５がスピンドル上部１上に置かれるとき、ワインダチューブ５が残りの５０ｍｍを落下させられる場合が多い。これは手動玉揚げの場合に及び自動玉揚げの場合になされることができる。これに代えて、ワインダチューブ５はスピンドル上部１上に案内されることができる。
【００２４】
　本発明によるワインダチューブカップリング４が拡大された図２，３及び４の助けを借りて以下に説明される。
【００２５】
　ワインダチューブカップリング４は半径方向に可動な部分なしに機能し、確動嵌合を持つ連結部であり、この連結部はスピンドル上部１上の凹所６とワインダチューブ５上の突起７により作動する。スピンドル回転方向は文字Ａにより示される。
【００２６】
　６個の凹所６が全体として設けられ、それらは縦溝８の形を取る。３個の突起７が対照的に３個のペグ９の形で設けられる。ペグ９は作動中縦溝８内に係合し、回転方向Ａに造形閉鎖体により把持される。
【００２７】
　スピンドル先端１０から離れる方に面する端部領域内で、当初先細りの縦溝８はアンダーカットに広くなっており、従って、両円周方向に縦溝内８内で狭くなる停止表面１１と１３が形成される。縦溝８はもちろんその最狭点でペグ９の直径より幅広でなければならず、従ってワインダチューブ５はスピンドル上部１上に置かれることができ、かつそこから困難なしに除去されることができる。
【００２８】
　見ることができるように、停止表面１１と１３は縦溝８を境界付ける壁１２によりそれぞれ形成され、従ってワインダチューブカップリング４の配置は対称的である。これは特に簡単な製造工程をもたらす。
【００２９】
　ワインダチューブ５が困難なしにスピンドル上部１上に配置されることができるのみならず、またそこから除去されることができるために、停止表面１１と１３はペグ９のための傾斜スライド表面１４の形を取る。傾斜は例えばスピンドル２の回転面に関して６０°の角度を持つことができる。停止表面１１または１３の端部にスライド表面１４が例えば２ｍｍの半径を持つ一定の凸状曲線１５を持つとき更に有利である。この発明の目的のためにワインダチューブ５上に３個あるそこに配置されたペグ９は、合致する丸い断面を持つべきである。図４に、この結果、ワインダチューブ５が除去されるとき、ベグ９がどのように点線で示された中間位置９′を越えて上向きに移動することができるかが示されている。
【００３０】
　見ることができるように、縦溝８は停止表面１１，１３に向けて先細りとなっている。これは自己錠止を防ぐ非常に長い傾斜をもたらし、そこでは横壁間の角度は例えば１６．４°であることができる。
【００３１】
　ワインダチューブ５の配置を容易とし、真の同心性を達成するために、縦溝８の数はペグ９の数の多数倍であるべきである。例えば、６個の縦溝８が有利には３個のペグ９に配置されることが有利である。
【００３２】
　２個の隣接する縦溝８の横壁１７と１８はスピンドル先端１０に向けて延びくさび状形状を形成する。これが壁にナイフ状先端１９をもたらし、それによりペグ９は常にチューブワインダ５が配置されるとき縦溝８の１個の中へのその道筋を見出す。
【００３３】
　特に図３に見ることができるように、縦溝８のベース表面２０は曲がっておらず、本発明では六角形の形を取り、その隅部に当然にそれぞれの壁を持つ。スピンドル先端１０から離れる方に面するそれらの端部に、縦溝８はそれぞれ端壁２１を備えることができるが、それは、円錐形支持表面３が存在するときは必要ではないであろう。支持表面３が存在しないならば、そのとき端壁２１がワインダチューブ５を軸方向に固定するための代替物をペグ９により与える。
【００３４】
　ワインダチューブ５が除去されるとき傾斜スライド表面１４及び曲線部１５にもかかわらず困難性が発生しないために、特に自動玉揚げの場合に、スピンドル２が、たとえ停止していても、もし必要なら、円周方向にわずかに動くことができることが重要である。これはワインダチューブ５が除去されるときどのような場合にも自己錠止を防ぐ。
【００３５】
　本発明によるワインダチューブカップリング４は全ての半径方向に可動な部品を省略し、スピンドル上部１によるワインダチューブ５の確動嵌合を持つ把持を与える。停止表面１１または１３のため、ワインダチューブ５は作動時に糸引っ張り力により起こされる幾らかの上向き移動が防がれる。全ての複雑な部品はスピンドル上部１に適用され、ワインダチューブ５には適用されない。ペグ９はワインダチューブ５が下方の円錐支持表面３でのみならずまた縦溝８のベース表面２０上でも中心合わせされるような寸法を持つことができる。これは特にペグ９が、有利にはそうであるが、プラスチックからワインダチューブ５と一体片で作られておらず、むしろ半径方向の静止ピンとしてワインダチューブ５の壁に固定されるとき、その通りである。
【００３６】
　図５，６及び７による変更例では、ワインダチューブ５を結合する目的のためのスピンドル２がピン状スピンドル端２３を持ち、その上に交換可能なスピンドルキャップ２２が置かれることができるスピンドル上部１が設けられる。これは軽い成形可能なプラスチックまたは金属からなることができ、縦溝２５を含み、これらの縦溝は上述の縦溝８と同様に形成されることができ、また壁２８により形成された停止表面２７を持ち、それに対してワインダチューブ５のペグ９が作動時に配置される。トルクを伝えるのを確実とするために、ローレット目等がピン状スピンドル端２３とスピンドルキャップ２２との間に設けられることができる。
【００３７】
　本変更例の場合において、もちろん図２から４の実施例にもまた適用することができるが、縦溝２５は凹状に曲がったベース表面２６を持つ。これはスピンドル２が回転しているときペグ９がどんな場合でもこのベース表面２６上に配置されることを可能とし、かくしてワインダチューブ５を中心合わせすることを可能とする。
【図面の簡単な説明】
【００３８】
【図１】殆ど原型の寸法の、配置されたワインダチューブを持つスピンドル上部の部分断面縦方向図である。
【図２】拡大寸法でのワインダチューブカップリングの領域内のワインダチューブを持たない図１のスピンドル上部の部分図である。
【図３】ワインダチューブを配置された、図２の横断面ＩＩＩ−ＩＩＩに沿ったスピンドル上部の断面である。
【図４】大きく拡大された寸法での図２の部分図である。
【図５】ワインダチューブカップリングの役目をする、部分的に断面で示された別個のスピンドルキャップを含むスピンドル上部の部分図である。
【図６】外側からの図５のスピンドルキャップである。
【図７】ワインダチューブを配置された、図６の横断面ＶＩＩ−ＶＩＩに沿ったスピンドルキャップを含むスピンドル上部の断面である。
【図１】
2004137657.tif 000003
【図２】
2004137657.tif 000004
【図３】
2004137657.tif 000005
【図４】
2004137657.tif 000006
【図５】
2004137657.tif 000007
【図６】
2004137657.tif 000008
【図７】
2004137657.tif 000009